(57)【要約】【課題】  二つのソフトカートリッジを二液用吐出ガンに装着する際の手間を軽減することができるカートリッジホルダを提供する。【解決手段】長さが等しく、かつ内部にソフトカートリッジ（図示せず）が挿入される第１、第２筒部１，２を互いに平行に配置する。第１、第２筒部１，２の外周面の互いに隣接する側部どうしを、第、第２筒部１，２と一体に形成された連結部５，５によって互いに連結固定する。【選択図】図１
2006151417.tif 000002
【特許請求の範囲】
【請求項１】
互いに平行に配置された所定の強度を有する第１、第２筒部と、この第１、第２筒部を連結固定する連結部とを備えていることを特徴とする吐出ガン用カートリッジホルダ。
【請求項２】
上記連結部が上記第１、第２筒部と一体に形成されていることを特徴とする請求項１に記載の吐出ガン用カートリッジホルダ。
【請求項３】
上記第１、第２筒部及び上記連結部が互いに別体に形成され、上記連結部が、互いに平行に配置され、かつそれぞれの外周部の互いに隣接する側部どうしが一体に連結された第１、第２リング部を有し、この第１、第２リング部に上記第１、第２筒部が挿入固定されていることを特徴とする請求項１に記載の吐出がん用カートリッジホルダ。
【請求項４】
上記第１、第２筒部が上記第１、第２リング部に挿脱可能に圧入固定されていることを特徴とする請求項３に記載の吐出ガン用カートリッジホルダ。
【請求項５】
上記連結部が二つ用いられ、上記第１、第２筒部の一端部が一方の連結部の第１、第２リング部にそれぞれ挿入され、上記第１、第２筒部の他端部が他方の連結具の第１、第２リング部にそれぞれ挿入されていることを特徴とする請求項３又は４に記載の吐出ガン用カートリッジホルダ。
【発明の詳細な説明】
【技術分野】
【０００１】
この発明は、二液用吐出ガンに二つのソフトカートリッジを装着する際に用いられる吐出ガン用カートリッジホルダに関する。
【背景技術】
【０００２】
最近、吐出ガン用カートリッジとしてソフトカートリッジが多用されている。ソフトカートリッジは、筒状をなす本体部が樹脂フィルムで構成されている。ソフトカートリッジを吐出ガンに装着する場合において、仮にソフトカートリッジを何等補強せずにそのまま吐出ガンに装着すると、ソフトカートリッジの後端部をピストンによって先端側へ押したときに、本体部が座屈したり、圧力によって膨らんだりして、本体部を構成する樹脂フィルムが裂けてしまうおそれがある。そこで、ソフトカートリッジを吐出ガンに装着する場合には、下記引用文献１に記載されているように、ソフトカートリッジを所定の強度をする筒状のカートリッジホルダに挿入し、このカートリッジホルダを介して吐出ガンに装着するようにしている。
【０００３】
ところで、吐出ガンには、二液用吐出ガンがある。二液用吐出ガンは、二液性の接着剤等を吐出させるためのものであり、主剤と硬化剤とをそれぞれ収容した二つのカートリッジが同時に装着される。二つのソフトカートリッジは、それぞれカートリッジホルダを介して吐出ガンに装着される。
【０００４】
【特許文献１】特許第３２３１５２５号公報
【発明の開示】
【発明が解決しようとする課題】
【０００５】
各カートリッジが挿入される二つのソフトカートリッジホルダは、互いに別体である。したがって、二つのソフトカートリッジを吐出ガンに装着する場合には、各カートリッジが挿入された二つのカートリッジホルダを別々に取り扱わなければならず、装着作業が面倒であるという問題があった。
【課題を解決するための手段】
【０００６】
この発明は、上記の問題を解決するためになされたもので、互いに平行に配置された所定の強度を有する第１、第２筒部と、この第１、第２筒部を互いに連結固定する連結部とを備えていることを特徴としている。
この場合、上記連結部が上記第１、第２筒部と一体に形成されていてもよく、あるいは上記第１、第２筒部及び上記連結部の三者が互いに別体に形成されていてもよい。三者が別体に形成されている場合には、上記連結部が、互いに平行に配置され、かつそれぞれの外周部の互いに隣接する側部どうしが一体に連結された第１、第２リング部を有し、この第１、第２リング部に上記第１、第２筒部が挿入固定されていることが望ましい。
第１、第２筒部は、第１、第２リング部に圧入固定されていてもよく、接着固定されていてもよい。
上記連結部が二つ用いられ、上記第１、第２筒部の一端部が一方の連結部の第１、第２リング部にそれぞれ挿入され、上記第１、第２筒部の他端部が他方の連結具の第１、第２リング部にそれぞれ挿入されていることが望ましい。
【発明の効果】
【０００７】
上記特徴構成を有するこの発明によれば、二つのカートリッジホルダを同時に取り扱うことができる。したがって、二つのソフトカートリッジを二液用吐出ガンに装着する際の手間を軽減することができる。
【発明を実施するための最良の形態】
【０００８】
以下、この発明を実施するための最良の形態を、図面を参照して説明する。
図１〜図４は、この発明の第１実施の形態を示す。この実施の形態のカートリッジホルダＡは、図１及び図２に示すように、第１、第２筒部１，２を有している。第１、第２筒部１，２は、それぞれの内部にソフトカートリッジＣ１，Ｃ２（図４参照）が挿入されるものであり、ソフトカートリッジＣ１，Ｃ２の後端部を吐出ガンＧのピストンＰ１，Ｐ２によって押したときにソフトカートリッジＣ１，Ｃ２の本体部Ｃ１ａ，Ｃ２ａが座屈したり、本体部Ｃ１ａ，Ｃ２ａが膨出したりするのを阻止することができるよう、比較的硬質の樹脂により所定の強度をもって形成されている。第１、第２筒部１，２は、アルミニウム等の金属によって形成してもよい。
【０００９】
第１、第２筒部１，２は、それぞれ一定の内外径をもってストレートに延びており、互いに平行に配置されている。第１、第２筒部１，２の長さは、互いに同一長さに設定されている。第１、第２筒部１，２の内径は、それぞれに挿入されるカートリッジＣ１，Ｃ２の外径に応じて定められている。したがって、第１、第２筒部１，２の内径は、互いに同一であることもあり、互いに異なることもある。
【００１０】
第１、第２筒部１，２の内周には、プランジャ３，４がそれぞれ摺動可能に圧入されている。プランジャ３，４は、それ自体が吐出ガンＧのピストンＰ１，Ｐ２によって押圧移動させられることにより、第１、第２筒部１，２に挿入されたソフトカートリッジＣ１，Ｃ１の後端部を先端側に向かって押し、各ソフトカートリッジＣ１，Ｃ２に収容された主剤と硬化剤とをそれぞれの先端部から吐出させるものである。
【００１１】
第１、第２筒部１，２は、それぞれの外周の互いに隣接する側部どうしが連結部５によって互いに連結固定されている。連結部５は、第１、第２筒部１，２の一端側と他端側とにそれぞれ設けられている。連結部５は、連結強度の点で問題なければ一つだけ設けてもよく、連結強度を向上させるために３つ以上設けてもよい。連結部５は、第１、第２筒部１，２と一体に形成されている。互いに一体に形成された第１、第２筒部１，２及び連結部５を有するカートリッジホルダＡは、例えば射出成形法によって成形することができる。連結部５は、第１第２連結部１，２と別体に形成し、第１、第２連結部１，２に接着固定してもよい。
【００１２】
次に、上記のように構成されたカートリッジホルダＡを用いて二つのカートリッジＣ１，Ｃ２を吐出ガンＧに装着し、さらに各カートリッジＣ１，Ｃ１にそれぞれ収容された主剤及び硬化剤を吐出させる場合について説明する。
【００１３】
まず、吐出ガンＧについて説明すると、吐出ガンＧは周知の構造を有している。そこで、吐出ガンＧの構造を簡単に説明すると、図３に示すように、吐出ガンＧは、カートリッジホルダＡが装着されるガン本体Ｇ１を有している。ガン本体Ｇ１の一端部の下部には、握り部Ｇ２及びハンドルＧ３が設けられている。ハンドルＧ３を矢印Ａ方向へ回動させると、その回動量に応じた分だけロッドＧ４，Ｇ５が前進し、ロッドＧ４，Ｇ５の各先端部に設けられたピストンＰ１，Ｐ２が前進する。ハンドルＧ３は、自由に回動し得るようにすると、ばね（図示せず）によって矢印Ｂ方向へ回動させられる。ハンドルＧ３が矢印方向へ回動するときには、ロッドＧ４，Ｇ５がロック機構（図示せず）によって停止状態に維持されており、後退することがない。したがって、ハンドルＧ３を矢印Ａ，Ｂ方向へ繰り返し回動させることにより、ロッドＧ４，Ｇ５及びピストンＰ１，Ｐ２を前進させることができる。前進したロッドＧ４，Ｇ５は、ロック機構を解除することにより、元の位置まで後退させることができる。
【００１４】
図４に示すように、ソフトカートリッジＣ１，Ｃ２は、樹脂フィルムからなる筒状をなす本体部Ｃ１ａ，Ｃ２ａを有しており、その先端部には補強筒部Ｃ１ｂ，Ｃ２ｂが設けられ、後端部には本体部Ｃ１ａ，Ｃ２ａの後端開口部を閉じる底部Ｃ１ｃ，Ｃ２ｃが設けられている。また、本体部Ｃ１ａ，Ｃ２ａの先端開口部は、樹脂フィルムからなる封止体Ｃ１ｄ，Ｃ２ｄによって閉じられている。ソフトカートリッジＣ１，Ｃ２は、カートリッジホルダＡの第１、第２筒部１，２にその一端開口部から挿入される。この場合、ソフトカートリッジＣ１，Ｃ２は、その補強筒部Ｃ１ｂ，Ｃ２ｂの後端面が第１、第２筒部１，２の一端面に突き当たるまで第１、第２筒部１，２に挿入される。なお、底部Ｃ１ｃ，Ｃ２ｃとプランジャ３，４との間には若干の間隔が生じるよう、プランジャ３，４の位置を予め調節しておく。
【００１５】
ソフトカートリッジＣ１，Ｃ２の補強筒部Ｃ１ｂ，Ｃ２ｂと第１、第２筒部１，２の一端部とは、二液用ヘッドＨの第１、第２装着筒部Ｈ１，Ｈ２に挿脱可能に挿入される。この場合、補強筒部Ｃ１ｂ，Ｃ２ｂは、その外径が第１、第２装着筒部Ｈ１，Ｈ２の内径より僅かに小径になっており、第１、第２装着筒部Ｈ１，Ｈ２にほとんど抵抗なく挿脱可能である。一方、第１、第２筒部１，２は、第１、第２装着筒部Ｈ１，Ｈ２より僅かに大径であり、それらに挿脱可能に圧入されている。したがって、ヘッドＨはカートリッジホルダＡから不用意に脱落することがない。カートリッジホルダＡにヘッドＨを取り付けると、ヘッドＨの突出部Ｈ３、Ｈ４がソフトカートリッジＣ１，Ｃ２の封止体Ｃ１ｄ，Ｃ２ｄを破り、ヘッドＨの第１、第２通路Ｈ５，Ｈ６の一端部がソフトカートリッジＣ１，Ｃ２の内部にそれぞれ連通する。第１、第２通路Ｈ５，Ｈ６の他端部が開口するヘッドＨの吐出口Ｈ７には、ノズルＮが装着されている。
【００１６】
ソフトカートリッジＣ１，Ｃ２を収容するとともに、ヘッドＨが取り付けられたカートリッジホルダＡは、吐出ガンＧのガン本体Ｇ１に装着される。このとき、ソフトカートリッジＣ１，Ｃ２を収容する第１、第２筒部１，２が一体に連結されているので、第１、第２筒部１，２を吐出ガンＧに別々に装着することなく、同時に装着することができる。勿論、ソフトカートリッジＣ１，Ｃ２も吐出ガンＧに同時に装着される。したがって、装着に要する手間を軽減することができる。
【００１７】
装着が完了したら、ピストンＰ１，Ｐ２を前進させ、プランジャ３，４に押し当てる。その後、ピストンＰ１，Ｐ２をさらに前進させると、プランジャ３，４がソフトカートリッジＣ１，Ｃ２の底部Ｃ１ｃ，Ｃ２ｃを先端側へ押し、本体部Ｃ１ａ，Ｃ２ａを押し潰す。この結果、本体部Ｃ１ａ，Ｃ２ａ内に収容された主剤及び硬化剤がヘッドＨの吐出口Ｈ７からノズルＮに流入し、その内部で混合される。そして、ノズルＮの先端開口部から吐出される。
【００１８】
プランジャ３，４が第１、第２筒部１，２内を所定の位置まで一端側へ移動し、それによってソフトカートリッジＣ１，Ｃ２を使い切るまで本体部Ｃ１ａ，Ｃ２ａが押し潰されたら、ピストンＰ１，Ｐ２を後退させて第１、第２筒部１，２から抜き出す。次に、カートリッジホルダＡ及びヘッドＨを吐出ガンＧから取り外し、さらにカートリッジホルダＡからヘッドＨを取り外す。その後、押し潰されたソフトカートリッジＣ１，Ｃ２を第１、第２筒部１，２から抜き出す。ソフトカートリッジＣ１，Ｃ２が抜き出されたカートリッジホルダＡは、次のソフトカートリッジＣ１，Ｃ２を吐出ガンＧに装着するために用いられる。一方、押し潰されたソフトカートリッジＣ１，Ｃ２は、廃棄処分される。
【００１９】
カートリッジホルダＡを用いて他の新たなソフトカートリッジＣ１，Ｃ２を吐出ガンＧに装着する場合には、ソフトカートリッジＣ１、Ｃ２を第１、第２筒部１，２にその他端開口部から挿入する。プランジャ３，４が第１、第２筒部１，２の一端側へ移動しているからである。その後、第１、第２筒部１，２の他端部をヘッドＨの第１、第２装着筒部Ｈ１，Ｈ２に嵌合させる。そして、新たなソフトカートリッジＣ１，Ｃ２を収容するとともに、ヘッドＨが取り付けられたカートリッジホルダＡを吐出ガンＧに装着する。このとき、第１、第２筒部１，２の一端部をピストンＰ１，Ｐ２側に向ける。その後、ピストンＰ１，Ｐ２を前進させることにより、上記と同様にしてノズルＮから主剤と硬化剤とが混合した接着剤を吐出させることができる。
【００２０】
次に、この発明の他の実施の形態を説明する。なお、以下の実施の形態に関しては、上記実施の形態と異なる構成についてのみ説明することとし、同様な構成部分には同一符号を付してその説明を省略する。
【００２１】
図５及び図６は、この発明の第２実施の形態を示す。この実施の形態のカートリッジホルダＢにおいては、連結部５が第１、第２筒部１，２の全長にわたって延びている。したがって、第１、第２筒部１，２は、互いに隣接する側部どうしが全長にわたって連結固定されている。このように構成されたカートリッジホルダＢは、押し出し成形法によって成形することができる。勿論、射出成形法によって成形してもよい。
【００２２】
図７〜図１１は、この発明の第３実施の形態を示す。図７及び図８に示すように、この実施の形態のカートリッジホルダＣにおいては、第１、第２筒部１，２及びそれらを連結固定する連結具６との三者が互いに別体に形成されている。つまり、第１、第２筒部１，２がそれぞれストレートな筒体として形成されており、それらと別体に形成された二つの連結具（連結部）６，６によって連結固定されている。
【００２３】
図１０及び図１１に示すように、連結具６は、互いに平行な第１、第２リング部６１，６２を有している。第１，第２リング部６１，６２は、それぞれの外周部の互いに隣接する側部どうしが一体に連結されている。二つの連結具６，６は、第１、第２筒部１，２の長手方向へ互いに離間して配置されており、連結具６，６の第１リング部６１，６１には、第１筒部１一端部と他端部とがそれぞれ挿入固定され、連結具６，６の第２リング部６２，６２には、第２筒部２の一端部と他端部とがそれぞれ挿入固定されている。これにより、第１、第２筒部１，２が連結具６，６を介して互いに連結固定されている。第１、第２筒部１，２は、次に述べるように、第１、第２リング部６１，６２にそれぞれ圧入固定されているが、接着固定してもよい。
【００２４】
第１リング部６１の内周面の中央部には、一定の内径を有するストレート孔部６１ａが形成されている。このストレート孔部６１ａの内径は、第１筒部１の外径より若干小径になっており、第１筒部１の外周に挿脱可能に圧入されている。第１リング部６１の両端部には、ストレート孔部６１ａから外側に向かって大径になるテーパ孔部６１ｂ，６１ｂが形成されている。テーパ孔部６１ｂの内側の端部、つまり小径側端部の内径はストレート孔部６１ａの内径と同一になっている。テーパ孔部６１ｂの外側の端部、つまり大径側端部の内径は、第１筒部１の外径より大径になっている。したがって、第１筒部１は、第１リング６１に対しそのいずれの端部からも容易に圧入することが可能である。
【００２５】
第２リング部６２の第２筒部２との関連構成は、第１リング部６１の第１筒部１との関連構成と同様であり、第２リング部６２の内周面の中央部には、第２筒部２が挿脱可能に圧入されるストレート孔部６２ａが形成され、両端部には、ストレート孔部６２ａに第２筒部２を容易に圧入することができるようにするためのテーパ孔部６２ｂ，６２ｂがそれぞれ形成されている。
【００２６】
この実施の形態のカートリッジホルダＣによれば、第１、第２筒部１，２及び連結具６が互いに別体に形成されているので、二液用の吐出ガンの使用者がソフトカートリッジＣ１，Ｃ２用のそれぞれのカートリッジホルダ（単なる円筒として形成された従来のカートリッジホルダ）を有している場合には、それらのカートリッジホルダを連結具６，６によって互いに連結固定することにより、カートリッジホルダＣとすることができる。したがって、第１、第２筒部１，２を新たに製造する必要がない。よって、カートリッジホルダＣを安価に製造することができる。
【図面の簡単な説明】
【００２７】
【図１】この発明の第１実施の形態の一部を省略するとともに、一部を切り欠いて示す平面図である。
【図２】同実施の形態の側面図である。
【図３】図１及び図２に示すカートリッジホルダが用いられる吐出ガンの一例を示す図であって、図３（Ａ）はその正面図、図３（Ｂ）はその平面図である。
【図４】図３（Ａ）のＸ−Ｘ線に沿う拡大断面図である。
【図５】この発明の第２実施の形態の一部を省略するとともに、一部を切り欠いて示す平面図である。
【図６】同実施の形態の側面図である。
【図７】この発明の第３実施の形態の一部を省略するとともに、一部を切り欠いて示す平面図である。
【図８】同実施の形態の側面図である。
【図９】図７のＸ円部の拡大図である。
【図１０】同実施の形態において用いられている連結具の平面図である。
【図１１】同実施の形態において用いられている連結具の斜視図である。
【符号の説明】
【００２８】
Ａ  カートリッジホルダ
Ｂ  カートリッジホルダ
Ｃ  カートリッジホルダ
１  第１筒部
２  第２筒部
５  連結部
６  連結具（連結部）
６１  第１リング部
６２  第２リング部
【図１】
2006151417.tif 000003
【図２】
2006151417.tif 000004
【図３】
2006151417.tif 000005
【図４】
2006151417.tif 000006
【図５】
2006151417.tif 000007
【図６】
2006151417.tif 000008
【図７】
2006151417.tif 000009
【図８】
2006151417.tif 000010
【図９】
2006151417.tif 000011
【図１０】
2006151417.tif 000012
【図１１】
2006151417.tif 000013